(57)【特許請求の範囲】
【請求項１】
燃焼部と、この燃焼部へ燃焼用空気を供給する空気供給部と、室内の温度を検知する室温検知部と、温度情報等を表示する表示部と、各種設定を行う複数のスイッチからなる操作部と、この操作部で入力された設定温度と室内温度から燃焼量を算出する燃焼量算出部と、燃焼量に対応する空気量データを記憶保持するデータ記憶部と、上記燃焼量算出部で算出された燃焼量から上記データ記憶部に保持した空気量データに基づいて空気供給部を制御する燃焼空気制御部とを備えたものにおいて、上記データ記憶部は、燃焼量に対応する所定空気量データとこの所定空気量のデータより供給量を少なく設定した検査用の高地空気量データとを記憶保持し、このデータ記憶部に記憶保持した空気量データを切り換えるデータ切換部を設け、このデータ切換部は上記操作部の複数のスイッチの同時操作によって上記高地空気量データに切り換えられることを特徴とする暖房機の制御装置。
【請求項２】
上記データ切換部が検査用の高地空気量データに切り換えられている間は、上記表示部に特定の表示を行うようにしたことを特徴とする請求項１記載の暖房機の制御装置。
【請求項３】
上記検査用の高地空気量データは、空気供給量が多くなるよう設定した高温時高地空気量データと空気供給量が少なくなるよう設定した低温時高地空気量データを有し、上記室温検知部からの信号により室温が所定値以上の場合は高温時高地空気量データに切り換えられ、室内温度が所定値未満の場合は低温時高地空気量データに切り換えられるようにしたことを特徴とする請求項１記載の暖房機の制御装置。
【発明の詳細な説明】
【０００１】
【発明の属する技術分野】
本発明は石油ファンヒーター等の暖房機の制御装置に関するものである。
【０００２】
【従来の技術】
従来、この種の暖房機は、燃焼時において、良好な燃焼状態を保持するように燃焼用空気と燃料の量を制御し、最適な空燃比を保っている。ここで、燃焼用空気の量は燃焼用モータの回転数によって制御を行っているため、回転数を一定で制御した場合に、標高の高い地域では空気の密度が薄いため、燃焼用空気の量が減り、空燃比がずれることになる。
ところで、この暖房機は標高の高い地域（標高１５００ｍ程度）まで使用されることを想定しており、そのうち、標高の高い地域（標高４５０ｍ〜１５００ｍ）においては、使用者が調整を行うことで対応しているが、標高の低い地域（標高４５０ｍ以下）では基本的に無調整で性能を満足する様になっている。
そこで、標高４５０ｍ程度の場所で使用された場合において、空気量の減少による赤火で使用者に不信感を与えたり、極度の赤火の場合には安全装置の働きによる消火で暖房機として不便に感じるものにならないように、工場での製品出荷時の検査において、擬似的に標高４５０ｍ程度の燃焼状態で検査できるように、燃焼用空気吸込口に圧損となる検査用フィルターを取り付け、これによって空気量を減らし、擬似的に標高の高い場合における燃焼状態を作り出し、火炎の状態の検査および調整を行っている。
【０００３】
図７は、従来のこの種の暖房機の燃焼部の概略断面図であり、１ａは燃焼器、２ａはこの燃焼器１ａに燃焼用空気を供給する燃焼用送風機、３は燃焼用空気吸込口３であり、通常はこの燃焼用空気吸込口３から吸い込まれた空気は燃焼器１ａに供給されて燃焼に使われる。４は製造時の燃焼検査時に、燃焼用空気吸込口３に取り付けて空気の吸い込み量を減らす検査用フィルターであり、燃焼用送風機２ａが同じ回転数である場合は、吸い込む空気量は減ることになる。図中の矢印は、燃焼用空気の流れを表わしている。
【０００４】
【発明が解決しようとする課題】
しかしながら、上記従来のような検査方式では、検査毎に燃焼用空気吸込口３に検査用フィルター４を取り付け、検査終了後にこのフィルター４を取り外す作業を行い、かつ、燃焼用空気の吸い込み能力の違う機種毎に専用の検査用フィルター４を用意する等の手間が掛かるばかりか、検査用フィルター４が埃詰まり等によって狙った空気量が確保できず検査精度が悪くなるなどの問題点があった。
【０００５】
また、図８，図９は従来の暖房機の正面側の外観図と背面側の外観図である。図８，図９に示したように、一般的に燃焼用空気吸込口３は製品本体背面もしくは側面に設けられている場合が多く、検査の際に、この燃焼用空気吸込口３に検査用フィルター４が取り付いているかの状況を正面側からは確認し難く、場合によっては、検査用フィルター４の付いていない状態で、検査や調整を行ってしまい、出荷してしまうなどの問題点があった。
【０００６】
さらに、製品の出荷検査は、真冬の寒い時期から真夏の暑い頃にかけて、また朝方の気温が低い頃から日中の気温の高い頃までと、検査時の室温は大きく変わる。そのため、気温による空気密度の変化によって吸い込む燃焼用空気の量が検査毎に異なってしまい、精度の良い検査が出来ないなどの問題点があった。
本発明は上記従来の問題点を解決するためになされたもので、検査時に検査用フィルターの取り付け、取り外し作業が不要で、かつ精度の良い検査が行える暖房機の制御装置を得ることを目的とする。
【０００７】
【課題を解決するための手段】
この発明に係る暖房機の制御装置は、燃焼部と、この燃焼部へ燃焼用空気を供給する空気供給部と、室内の温度を検知する室温検知部と、温度情報等を表示する表示部と、各種設定を行う複数のスイッチからなる操作部と、この操作部で入力された設定温度と室内温度から燃焼量を算出する燃焼量算出部と、燃焼量に対応する空気量データを記憶保持したデータ記憶部と、上記燃焼量算出部で算出された燃焼量から上記データ記憶部に保持した空気量データに基づいて空気供給部を制御する燃焼空気制御部とを備えたものにおいて、上記データ記憶部は、燃焼量に対応してあらかじめ決められた所定空気量を設定した所定空気量データとこの所定空気量データより供給量を少なく設定した検査用の高地空気量データとを記憶保持し、このデータ記憶部に記憶保持した空気量データを切り換えるデータ切換部を設け、このデータ切換部は上記操作部の複数のスイッチの同時操作によってぞの空気量データを高地空気量データに切り換えられるようにしたものである。
【０００８】
また、この発明に係る暖房機の制御装置は、上記のものにおいて、上記データ切換部が検査用の高地空気量データに切り換えられている間は、上記表示部に特定の表示を行うようにしたものである。
【０００９】
さらに、この発明に係る暖房機の制御装置は、上記のものにおいて、上記検査用の高地空気量データは、空気供給量が多くなるよう設定した高温時高地空気量データと空気供給量が少なくなるよう設定した低温時高地空気量データを有し、前室温検知部からの信号により室温が所定値以上の場合は高温時高地空気量データに切り換えられ、室内温度が所定値未満の場合は低温時高地空気量データに切り換えられるようにしたものである。
【００１０】
【発明の実施の形態】
実施の形態１．
以下、本発明の実施の形態１を図に基づいて説明する。
図１は、本発明の実施の形態１を示すブロック図である。
【００１１】
図１において、１は燃焼部、２はこの燃焼部１に燃焼用空気を供給する空気供給部、５はこの空気供給部２を制御する燃焼空気制御部、６は室内の温度を検知する室温検知部、７は温度設定等を行う複数のスイッチからなる操作部、８は室温検知部６で検出された室温と操作部７で入力された設定温度から燃焼量を算出する燃焼量算出部、９は燃焼量に対応して供給する空気量データを記憶保持するデータ記憶部、１０はこのデータ記憶部に記憶保持されたあらかじめ決められた所定空気量データ、１１は上記燃焼空気制御部５、燃焼量算出部８、データ記憶部９を構成しているマイクロコンピュータである。
１２は所定空気量データ１０より燃焼用空気の供給量を少なく（所定空気量の０．９５倍程度）設定した検査用の高地空気量データであり、データ記憶部９に所定空気量データ１０とは分離されて記憶保持されている。１３はデータ記憶部９に記憶保持した空気量データを切り換えるためのデータ切換部であり、操作部７に設けられた複数個のスイッチのうち、例えば、予め決められた２つのスイッチを同時に操作すると、所定空気量データ１０から検査用の高地空気量データ１２に切り換わり、燃焼空気制御部５が検査用の高地空気量データ１２に基づいて空気供給部２を制御する。１４は温度情報等を表示する表示部である。
【００１２】
図２は本発明の実施の形態１における燃焼検査の制御動作を示すフローチャートである。
工場において、製品の組立作業が完了すると、続いて製品の検査に入る。製品検査では、暖房機の本質部分である燃焼状態の検査以外に各制御部の動作のチェック、キズ・汚れ等の外観チェックや騒音検査など様々な検査が行われる。
燃焼検査に入ると、運転スイッチ（図示せず）を「入」にして燃焼動作に入る。この燃焼動作において、まず、予めマイクロコンピュータ１１に記憶されているか、もしくは作業者によって操作部７から設定温度が入力され（ステップ１５）、次に、室温検知部６で室内温度が測定される（ステップ１６）。続いて、測定された室内温度に基づいて燃焼量算出部８が暖房機の暖房能力範囲内において最適な燃焼量を算出する（ステップ１７）。次に、この燃焼量に基づいて燃料ポンプ等の燃料供給部（図示せず）が燃焼部１に灯油等の燃料を送って燃焼することになる。ここで、良好な燃焼状態を保持するために、この燃焼量に対応した燃焼空気量を供給することになるが、まず、通常燃焼検査の場合について説明する。
【００１３】
図２のステップ１８は、高地燃焼検査用スイッチ入力の有無を判定するステップであり、通常燃焼検査の場合は、操作部７から高地燃焼検査状態に切り換えるための操作は行われないため、ステップ１９に進み、マイクロコンピュータ１１内の検査用フラグビットが“０”にクリアされる。同様にステップ２０においても、高地燃焼検査状態を解除するための操作は入力されないため、そのままステップ２１に進むことになる。ステップ２１では、検査用フラグビットが“０”であるので、ステップ２２に進み、データ切換部１３が所定空気量データ１０を選択するよう切り換わる。これによって、燃焼空気制御部５は所定空気量データ１０に基づいて燃焼用送風機等の空気供給部２を制御し、燃焼部１に燃焼用空気を供給することになり（ステップ２３）、最適な空燃比を保ち、良好な燃焼状態のもとで、火炎の状態の検査および調整等を行い（ステップ２４）、燃焼状態の検査が終了する。
【００１４】
一方、通常燃焼検査状態から高地燃焼検査状態に切り換える場合、作業者が操作部７の複数のスイッチのうち、予め決められた特定の二つ以上のスイッチを同時に操作する。なお、切り換え操作の方法には、他のスイッチ操作を利用してもよいが、ここでは、暖房機の使用者が誤操作で容易に検査状態にならないよう考慮し、３つのスイッチを同時に操作している。これにより、ステップ１８において、高地燃焼検査状態に切り換えるためのスイッチ入力が行われ、ステップ２５に進み、検査用フラグビットが“１”にセットされる。ステップ２０では、この高地燃焼検査状態を解除する操作は行われないため、ステップ２１にそのまま進むことになる。ステップ２１では、検査用フラグビットが“１”であるため、ステップ２６に進み、データ切換部１３が高地空気量データ１２を選択するよう切り換わる。これによって、通常燃焼検査時と同様に燃焼空気制御部５は高地空気量データ１２に基づいて空気供給部２を制御し、燃焼部１に燃焼用空気を供給することになり（ステップ２３）、従来にような検査用フィルター４を取り付ける作業をすることなく、操作部７からのスイッチ操作のみで容易かつ精度よく標高の高い位置での燃焼状態を擬似的に作り出すことができる。
【００１５】
また、更に高地燃焼検査状態から通常燃焼検査状態に戻す場合は、ステップ２０で作業者が操作部７の複数のスイッチのうちの特定のスイッチを操作し、高地燃焼検査状態を解除するためのスイッチ入力がされると、ステップ２７に進み、先に“１”にセットされた検査用フラグビットを再び“０”にクリアする。これにより、上記説明の通りにデータ切換部１３が再び所定空気量データ１０を選択するよう切り換わり、これによって、燃焼空気制御部５は所定空気量データ１０に基づいて空気供給部２を制御し、燃焼部１に燃焼用空気を供給することになり（ステップ２３）、先と同様に検査用フィルター４の取り外し作業をしなくても、操作部７からのスイッチ操作で高地燃焼検査状態を容易に解除可能となる。
【００１６】
従って、この実施の形態１によれば、操作部７から特定のスイッチ操作入力で燃焼用空気量を検査用として用意した高地空気量データに切り換えることが可能となるため、工場での製品の燃焼検査の際に、検査用フィルターの取り付けや取り外す作業を行う手間が無くなるばかりか、検査用フィルターが埃詰まり等によって狙った空気量が確保できず検査精度が悪くなるという従来の問題点をすべて解消することができる。
【００１７】
実施の形態２．
図３は、本発明の実施の形態２における燃焼検査時の動作を示すフローチャートである。
この実施の形態２における動作は、ステップ１５〜ステップ２７までは上述した実施の形態１と同様であるため、同一符号を付しその説明は省略する。
燃焼検査において、高地燃焼検査の場合、ステップ２１において、検査用フラグビットが“１”であり、ステップ２６で実施の形態１と同様にデータ切換部１３が高地空気量データ１２を選択するよう切り換わる。この時、通常燃焼時に、室温や設定温度等の数字の情報を表示する７つのセグメントからなる表示部１４に、例えば、図４に示すような高地燃焼を意味する特定の記号“Ｈｉ”を表示させ（ステップ２８）ながら、燃焼空気制御部５は所定空気量データ９に基づいて空気供給部２を制御し、燃焼部１に燃焼用空気を供給することになる。
【００１８】
一方、通常燃焼状態では、検査用フラグビットが“０”にクリアされているため、ステップ２２に進み、同様にデータ切換部１３が所定空気量データ９を選択するよう切り換わる。この時、表示部１４は室温もしくは設定温度等の数字の表示を行う（ステップ２９）。
【００１９】
このように、高地空気量での検査を行っているかどうかを製品本体正面の表示部１４に特定の記号“Ｈｉ”の表示で表示するため、検査の際に燃焼状態の確認が容易となり、検査もれや誤調整が少なくなる。
【００２０】
実施の形態３．
図５は、本発明の実施の形態３を示す暖房機の制御装置のブロック図で、データ記憶部９の検査用の高地空気量データを、室温が高い場合に空気の密度が薄くなるために空気供給量を多くするように設定した高温時高地空気量データ１２Ｈと、室温が低い場合に空気の密度が濃くなるために空気供給量を少なくするように設定した低温時高地空気量データ１２Ｌで構成したものであり、操作部７の複数のスイッチのうち、少なくとも特定の二つ以上を同時に操作したとき、上記データ切換部１３は室温検知部６で検出された室内温度が所定値以上の場合には、高温時高地空気量データ１２Ｈを選択し、室内温度が所定値未満の場合には、低温時高地空気量データ１２Ｌを選択するように切り換えられる。
【００２１】
図６は、この実施の形態３における燃焼検査時の動作を示すフローチャートである。なお、図２、図３に示したステップ１５〜ステップ２１までの動作は同じであるため、ここでの説明は省略する。
燃焼検査において、ステップ２１において、検査フラグビットが“１”であると、ステップ３０に進み、ここで、室温検知部６で測定した室温が所定値、本実施の形態においては、室温が１５℃以上である場合、データ切換部１３が高温時高地空気量データ１２Ｈを選択するよう切り換わる（ステップ３１）。逆に、室温が１５℃未満の場合は、上記データ切換部１３が低温時高地空気量データ１２Ｌを選択するよう切り換える（ステップ３２）。
【００２２】
このように、実施の形態３によれば、検査時の室温に応じて燃焼用空気量を切り換えるため、室温の違いによる空気密度の影響を少なくして検査をすることができるので、より精度の高い検査を行うことができる。
なお、上記実施の形態３では、室温による高地空気量データを高低２段に分けた場合について説明したが、室温に応じて複数段に高地空気量データを設けるようにすれば、さらに精度の高い検査が行えることは言うまでもない。
【００２３】
【発明の効果】
以上のように、請求項１の発明によれば、データ記憶部に、燃焼量に対応してあらかじめ決められた所定空気量を設定した所定空気量データとこの所定空気量データより供給量を少なく設定した検査用の高地空気量データとを記憶保持し、このデータ記憶部に記憶した空気量データを切り換えるデータ切換部を設け、このデータ切換部は操作部の複数のスイッチの同時操作によってぞの空気量データを検査用の高地空気量データに切り換えられるようにしたので、工場での製品の燃焼検査の際に、作業者による検査用フィルターの取り付けや取り外す作業が不要となり、作業者の手間を省けるばかりか、検査用フィルターが埃詰まり等によって狙った空気量が確保できず、検査精度が悪くなることがなくなるという従来の問題点を解消できる。
【００２４】
また、請求項２の発明によれば、上記のものにおいて、上記データ切換部が検査用の高地空気量データに切り換えている間は、上記表示部に特定の表示を行うようにしたので、検査の際に確認が容易となり、検査もれや誤調整が少なくなる。
【００２５】
さらに、請求項３の発明によれば、上記のものにおいて、上記検査用の高地空気量データを、空気供給量が多くなるよう設定した高温時高地空気量データと空気供給量が少なくなるよう設定した低温時高地空気量データで構成し、室温検知部からの信号により高温時高地空気量データと低温時高地空気量データのどちらかを選択してに切り換えられるようにしたので、室温の違いによる空気密度の影響を少なくできるため、より精度の良い燃焼検査を行うことができる。
【図面の簡単な説明】
【図１】  本発明の実施の形態１を示す暖房機の制御装置のブロック図である。
【図２】  本発明の実施の形態１における燃焼検査時の動作を示すフローチャートである。
【図３】  本発明の実施の形態２における燃焼検査時の動作を示すフローチャートである。
【図４】  本発明の実施の形態２の表示部の表示内容を示す説明図である。
【図５】  本発明の実施の形態３を示す暖房機の制御装置のブロック図である。
【図６】  本発明の実施の形態３における燃焼検査時の動作を示すフローチャートである。
【図７】  従来の暖房機における燃焼検査の方法を示す説明図である。
【図８】  従来の暖房機の正面側の外観図である。
【図９】  従来の暖房機の背面側の外観図である。
【符号の説明】
１  燃焼部、２  空気供給部、５  燃焼空気制御部、６  室温検知部、７  操作部、８  燃焼量算出部、９  データ記憶手段、１０  所定空気量データ、１２高地空気量データ、１２Ｈ  高温時高地空気量データ、１２Ｌ  低温時空気量データ、１３  データ切換部、１４  表示部。
【図１】
0003651556.tif 000002
【図２】
0003651556.tif 000003
【図３】
0003651556.tif 000004
【図４】
0003651556.tif 000005
【図５】
0003651556.tif 000006
【図６】
0003651556.tif 000007
【図７】
0003651556.tif 000008
【図８】
0003651556.tif 000009
【図９】
0003651556.tif 000010